(57)【要約】【課題】ブロー成形により箱状に形成されたプラスチック製の収容容器を小さく折り畳んだり、このように折り畳んだ状態の収容容器を元の箱状に戻すことが短時間で簡単に行えるようにする。【解決手段】ブロー成形により形成された流体を収容させるプラスチック製の収容容器において、その容器本体１０を中空の略立方体状に形成すると共に、容器本体の少なくとも対向する２つの面に、それぞれ対角線に沿って内方に突出した折り曲げ用凹状１６を対称になるように設け、また容器本体の上面部１１に流体の注入及び取出しを行う口部１６を設けると共に、その側壁１５を構成する４つの面１５ａ〜１５ｄに、それぞれ対角線に沿って内方に突出した折り曲げ用凹状を各面において同じ状態になるように設けた。【選択図】  図３
2005059854.tif 000002
【特許請求の範囲】
【請求項１】
ブロー成形により形成された流体を収容させるプラスチック製の収容容器において、容器本体が中空の略立方体状に形成されると共に、この容器本体の少なくとも対向する２つの面に、それぞれ対角線に沿って内方に突出した折り曲げ用凹状が対称になるように設けられてなることを特徴とする収容容器。
【請求項２】
請求項１に記載の収容容器において、上記の容器本体の上面部に流体の注入及び取出しを行う口部が設けられると共に、その側壁を構成する４つの面に、それぞれ対角線に沿って内方に突出した折り曲げ用凹状が各面において同じ状態で設けられてなることを特徴とする収容容器。
【発明の詳細な説明】
【０００１】
【発明の属する技術分野】
この発明は、液体や粉体等の流体を収容させるブロー成形により形成されたプラスチック製の収容容器に係り、中空の略立方体状に形成された収容容器を、空の状態において折り畳んで小さくしたり、またこのように折り畳んで小さくした収容容器を元の略立方体状に復帰させることが簡単に行えるようにした点に特徴を有するものである。
【０００２】
【従来の技術】
従来、液体や粉体等の流体を輸送したり、保管したりするのに、液体や粉体等の流体をプラスチック製の収容容器内に収容させるようにしていた。
【０００３】
ここで、このような収容容器としては、一般にブロー成形により、図１（Ａ），（Ｂ）に示すように、中空の箱状になったプラスチック製の容器本体１を形成し、この容器本体１の上面部１ａにおいて一段低くなった角部１ｂに流体の注入及び取出しを行う口部２を設け、この口部２に密封用のキャップ３を取り付けるようにすると共に、液体や粉体等の流体を収容させた収容容器を持ち運ぶための取手４を設けるようにしていた。
【０００４】
そして、このような収容容器を用いて液体や粉体等の流体を輸送したり、保管したりするにあたっては、容器本体１を箱状にした状態で、上記の口部２から液体や粉体等の流体をこの容器本体１内に充填させ、その後、上記の口部２にキャップ３を取り付けて、密封させるようにしている。
【０００５】
そして、このように流体を充填させた収容容器を剛性のあるダンボールやプラスチック等で構成された収容容器（図示せず）内に収容させて、流体を輸送したり保管したりするようにしている。
【０００６】
一方、収容容器内に流体を充填させない状態では、この収容容器が嵩張らないようにするため、容器本体１内の空気を抜いて、容器本体１を小さく折り畳むようにし、またこの容器本体１内に流体を充填させる場合には、このように折り畳んだ容器本体１を引っ張って元の箱状に戻すようにしていた。
【０００７】
しかし、上記のようにブロー成形により形成されたプラスチック製の収容容器はある程度の強度があるため、その容器本体１内の空気を抜いて、容器本体１を小さく折り畳むことは面倒で時間がかかると共に、一定した状態にうまく折り畳むことも困難であり、さらにこのように折り畳んだ容器本体１を引っ張って元の箱状に戻すことも面倒で時間がかかるという問題があった。
【０００８】
【発明が解決しようとする課題】
この発明は、液体や粉体等の流体を収容させるブロー成形により形成されたプラスチック製の収容容器における上記のような問題を解決することを課題とするものであり、収容容器内に流体を充填させない状態において、この収容容器を小さく折り畳んで嵩張らないようにしたり、またこのように小さく折り畳んだ収容容器を元の箱状に戻すことが短時間で簡単に行えるようにすることを課題とするものである。
【０００９】
【課題を解決するための手段】
この発明においては、上記のような課題を解決するため、ブロー成形により形成された流体を収容させるプラスチック製の収容容器において、容器本体を中空の略立方体状に形成すると共に、この容器本体の少なくとも対向する２つの面に、それぞれ対角線に沿って内方に突出した折り曲げ用凹状を対称になるように設けたのである。
【００１０】
そして、この発明における収容容器のように、中空の略立方体状に形成された容器本体の少なくとも対向する２つの面に、それぞれ対角線に沿って内方に突出した折り曲げ用凹状を対称になるように設けると、この対向する２つの面に設けられた上記の各折り曲げ用凹状によりそれぞれの面が対角線に沿って内側に折り曲げられるようになり、これに伴って、この対向する２つ面の間における対向する２つの面も、折り曲げ用凹状が設けられた対向する２つの面と同様に、対角線に沿って内側に折り曲げられるようになり、折り曲げられていない残りの対向する２つの面が９０度回転した状態で重なり合うようになり、略立方体状になった収容容器が簡単に折り畳まれるようになる。
【００１１】
また、このように折り畳まれた収容容器において、上記のように重なった２つの面を引き離すように引っ張ると、この２つの面が相対的に徐々に回転しながら引き離されると共に、上記のように対角線に沿って内側に折り曲げられた各面が引っ張られて立ち上がり、元の略立方体状に簡単に復帰するようになる。
【００１２】
また、上記の収容容器において、上記の中空の略立方体状に形成された容器本体の上面部に流体の注入及び取出しを行う口部を設けると共に、その側壁を構成する４つの面に、それぞれ対角線に沿って内方に突出した折り曲げ用凹状を各面において同じ状態になるように設けると、口部が設けられた容器本体の上面部を底面部側に押し付けるだけで、側壁を構成する４つの面に設けられた上記の各折り曲げ用凹状によりそれぞれの面が対角線に沿って内側に簡単に折り曲げられると共に、これに伴って上記の上面部が徐々に回転しながら押し下げられ、この上面部が９０度回転した状態で対向する底面部の上に重なるようになり、略立方体状になった収容容器が簡単に折り畳まれるようになる。
【００１３】
また、このように折り畳まれた収容容器において、上記のように重なった上面部と底面部とを引き離すように引っ張ると、上面部と底面部とが相対的に徐々に回転しながら引き離されると共に、上記のように各折り曲げ用凹状により対角線に沿って折り曲げられた側壁の各面が引っ張られて立ち上がり、元の略立方体状に簡単に復帰するようになる。
【００１４】
【発明の実施の形態】
以下、この発明の一実施形態に係る収容容器を添付図面に基づいて具体的に説明する。なお、この発明に係る収容容器は下記の実施形態に示したものに限定されず、発明の要旨を変更しない範囲において、適宜変更して実施できるものである。
【００１５】
この実施形態における収容容器においては、ブロー成形により、図２及び図３に示すように、中空の略立方体状になったプラスチック製の容器本体１０を形成する。ここで、上記のプラスチックとしては、一般にポリエチレンが使用され、容器本体１０の厚みは約０．２〜０．５ｍｍ程度になるようにしている。
【００１６】
そして、この容器本体１０の上面部１１において一段低くなった角部１１ａに流体の注入及び取出しを行う口部１２を設け、この口部１２に密封用のキャップ１３を取り付けるようにすると共に、この上面部１１に液体や粉体等の流体を収容させた収容容器を持ち運ぶための取手１４を設けている。
【００１７】
また、この実施形態における収容容器においては、上記のようにブロー成形によりプラスチック製の容器本体１０を中空の略立方体状に形成すると共に、図２〜図４に示すように、この容器本体１０の側壁１５となる４つの面１５ａ，１５ｂ，１５ｃ，１５ｄにおいて、それぞれ対角線に沿って内方に突出した折り曲げ用凹状１６を各面１５ａ〜１５ｄにおいて同じ状態、すなわち同じ対角線の方向になるように設けている。
【００１８】
そして、この実施形態における収容容器を用いて液体や粉体等の流体を輸送したり、保管したりするにあたっては、従来の収容容器の場合と同様に、上記の容器本体１０を略立方体状にした状態で、上記の口部１２から液体や粉体等の流体をこの容器本体１０内に充填させ、その後、上記の口部１２にキャップ１３を取り付けて、密封させるようにする。
【００１９】
そして、このように流体を充填させた収容容器を剛性のあるダンボールやプラスチック等で構成された収容容器（図示せず）内に収容させて、流体を輸送したり保管したりする。
【００２０】
一方、この収容容器内に流体を充填させない場合において、この収容容器を小さく折り畳んで嵩張らないようにするにあたっては、容器本体１０の口部１２からキャップ１３を取り外した状態で、この容器本体１０の上面部１１を上から底面部１７側に押し付けるようにする。
【００２１】
このように容器本体１０の上面部１１を底面部１７側に押し付けると、側壁１５となる４つの面１５ａ〜１５ｄに設けられた上記の各折り曲げ用凹状１６によって、各面１５ａ〜１５ｄがそれぞれ対角線に沿って内側に簡単に折り曲げられるようになる。
【００２２】
そして、このように側壁１５を構成する４つの面１５ａ〜１５ｄがそれぞれ対角線に沿って折り曲げられるようになり、これに伴って上記の上面部１１が徐々に回転しながら押し下げられると共に、この容器本体１０内における空気が上記の口部１２から排出され、図５に示すように、この容器本体１０の上面部１１が９０度回転した状態で対向する底面部１７の上に重なり、略立方体状になった収容容器が簡単に折り畳まれるようになる。
【００２３】
また、このように折り畳まれた収容容器において、上記のように重なった上面部１１と底面部１７とを引き離すように引っ張ると、上面部１１と底面部１７とが相対的に徐々に回転しながら引き離されると共に、上記のように各折り曲げ用凹状１６により対角線に沿って折り曲げられた側壁１５の各面１５ａ〜１５ｄが引っ張られて立ち上がり、上記の口部１２を通して空気が容器本体１０内に吸引されて、容器本体１０が元の略立方体状に簡単に復帰するようになる。
【００２４】
【発明の効果】
以上詳述したように、この発明における収容容器においては、ブロー成形によりプラスチック製の容器本体を中空の略立方体状に形成すると共に、この容器本体の少なくとも対向する２つの面に、それぞれ対角線に沿って内方に突出した折り曲げ用凹状を対称になるように設けたため、この対向する２つの面に設けられた各折り曲げ用凹状によりそれぞれの面が対角線に沿って内側に簡単に折り曲げられるようになり、この収容容器を簡単に折り畳むことができるようになると共に、このように折り畳んだ収容容器を元の略立方体状に復帰させることも簡単に行えるようになった。
【００２５】
特に、上記の容器本体の上面部に流体の注入及び取出しを行う口部が設けると共に、その側壁を構成する４つの面に、それぞれ対角線に沿って内方に突出した折り曲げ用凹状を各面において同じ状態になるように設けた場合には、口部が設けられた容器本体の上面部を底面部側に押し付けるだけで、側壁を構成する４つの面が各折り曲げ用凹状によりそれぞれ対角線に沿って内側に簡単に折り曲げられ、収容容器をさらに簡単に折り畳むことができるようになると共に、このように折り畳んだ収容容器を元の略立方体状に復帰させることもより簡単に行えるようになった。
【図面の簡単な説明】
【図１】従来の収容容器を示した概略側面図及び概略平面図である。
【図２】この発明の一実施形態に係る収容容器を示した概略側面図である。
【図３】同実施形態に係る収容容器を示した概略斜視図である。
【図４】同実施形態に係る収容容器の展開図である。
【図５】同実施形態に係る収容容器を折り畳んだ状態を示した概略側面図である。
【符号の説明】
１０  容器本体
１１  上面部
１２  口部
１３  キャップ
１４  取手
１５  側壁
１５ａ，１５ｂ，１５ｃ，１５ｄ  側壁の各面
１６  折り曲げ用凹状
１７  底面部
【図１】
2005059854.tif 000003
【図２】
2005059854.tif 000004
【図３】
2005059854.tif 000005
【図４】
2005059854.tif 000006
【図５】
2005059854.tif 000007